(57)【特許請求の範囲】
【請求項１】
水平偏向パルスを出力する水平偏向回路に入力される水平ドライブパルスの切替装置であって、
水平同期信号から水平ドライブパルスを作成する水平ドライブパルス発生回路と、前記水平ドライブパルスを基準として水平偏向を行う水平偏向回路と、前記水平ドライブパルスとは異なる代替信号を出力する代替信号発生回路と、前記水平ドライブパルスと前記代替信号との切り替えるタイミングを決定する水平出力制御装置と、前記水平出力制御装置の制御信号を使って出力パルスを切り替える切替手段を具備して、前記切替手段の出力が切り替わるタイミングが前記水平ドライブパルス発生回路の出力及び前記代替信号発生回路の出力のどちらもがＬｏｗからＨｉｇｈに切り替わった時にのみ有効となることを特徴とする水平ドライブパルスの切替装置。
【請求項２】
前記代替信号発生回路は、出力するパルスの周波数とデューティを変えられることを特徴とする請求項１記載の水平ドライブパルスの切替装置。
【発明の詳細な説明】
【０００１】
【発明の属する技術分野】
本発明は、テレビジョン受像機において、水平偏向回路に入力される水平ドライブパルスの切替装置に関する。
【０００２】
【従来の技術】
近年、ＢＳデジタル放送の時代を迎え、テレビジョン受像機でもマルチメディアに対応した様々な入力に対応できる機能開発が重要視されている。以下、従来の水平ドライブパルスの位相制御装置について説明する。
【０００３】
図３は、従来の水平ドライブパルスの位相制御装置のブロック構成図を示すものである。図３において、周波数判別回路１は、入力される水平同期信号Ａの周波数を検出することにより、図示されない入力映像信号の種類（例えば、インタレース信号であるかプログレッシブ信号であるか）を判別する周波数判別手段である。基準位相発生回路２は、水平同期信号Ａと周波数判別回路１の判別結果Ｊとを受け、入力される映像信号に最適な水平偏向パルスの位相を与える基準位相信号Ｂを出力する基準位相発生手段である。この水平偏向パルスの位相により走査線の帰線期間が決定される。
【０００４】
タイミング発生回路３は、水平同期信号Ａと周波数判別回路１の出力である判別結果Ｊとを受け、入力される映像信号に応じたタイミングを与えるタイミング信号Ｃを発生する。のこぎり波発生回路４は、タイミング信号Ｃを受け、タイミング信号Ｃに応じた位相を有するのこぎり波信号Ｄを出力する。
【０００５】
乗算器３は、基準位相信号Ｂともう一つの入力信号との乗算を行い、乗算器出力Ｇを出力する。ＬＰＦ（ローパスフィルタ）７は、乗算器結果Ｇを平均化し、ＤＣ電圧である平均電圧Ｖａｖを出力する。コンパレータ８は、平均電圧Ｖａｖとのこぎり波信号Ｄとを比較し、のこぎり波信号Ｄが平均電圧Ｖａｖより大きい間だけＨｉｇｈレベルとなり、それ以外の間はＬｏｗレベルとなる位相制御信号Ｈを出力する。
【０００６】
水平ドライブパルス発生回路２０は、コンパレータ８の出力である位相制御信号Ｈの立ち上がりに同期し、周波数判別回路１からの判別結果Ｊに応じて定められたデューティを有する水平ドライブパルスＩを出力する水平ドライブパルス発生手段である。
【０００７】
水平偏向回路１３は、水平ドライブパルスＩを受け、水平偏向パルスＥを出力する。コンパレータ５は、水平偏向パルスＥと所定の基準電圧とを比較し、水平偏向パルスＥが基準電圧より大きい、または基準電圧以上の場合のみＨｉｇｈレベルとなる信号Ｆを生成し、乗算器３に対して出力する。
【０００８】
なお、タイミング発生回路３とのこぎり波発生回路４とから、水平同期信号から、入力される映像信号の種類に応じた位相を有するのこぎり波信号を出力するのこぎり波発生手段が構成される。また、乗算器３とコンパレータ５とＬＰＦ７とから、基準位相信号Ｂと水平偏向パルスＥとの位相差に応じたＤＣ電圧（平均電圧Ｖａｖ）である位相差電圧を出力する位相差電圧検出手段が構成される。
【０００９】
さらに、コンパレータ８は、のこぎり波信号と位相差電圧とを比較し、位相差電圧に応じた水平ドライブパルスの位相を与えるための位相制御信号を出力する位相制御信号発生手段に相当する。代替信号発生回路１４は、その内部で生成されるフリーランクロック信号に基づいて、水平ドライブパルス発生回路２０の出力信号とは非同期な代替信号を生成し出力する。水平出力制御回路１６は、入力映像信号の切り替えに伴う周波数切り替えや電源ＯＮを検出する。切り替え回路１５は、水平出力制御回路１６の出力に基づいて、周波数切り替え時や電源ＯＮ時には、水平ドライブパルス発生回路２０の出力信号の代わりに、代替信号発生回路１４の出力する代替信号を水平偏向回路１３に出力する。
【００１０】
このようにして、水平ドライブパルスもしくは代替信号によって水平偏向回路が動作する。
【００１１】
【発明が解決しようとする課題】
しかしながら上記のような構成では、次のような課題を有している。水平ドライブパルス発生回路の出力と代替信号発生回路の出力を水平出力制御回路により制御して切り替えているが、切替時の応答において波形が欠けたり連続性が失われるなど切替前後の波形応答が考慮されていないと、水平偏向回路において水平ドライブトランジスタの破壊など不具合を生じる可能性がある。
【００１２】
【課題を解決するための手段】
上記課題を解決するために、第１の発明に係る水平ドライブパルスの切替装置は、水平偏向パルスを出力する水平偏向回路に入力される水平ドライブパルスの切替装置であって、水平同期信号から水平ドライブパルスを作成する水平ドライブパルス発生回路と、前記水平ドライブパルスを基準として水平偏向を行う水平偏向回路と、前記水平ドライブパルスとは異なる代替信号を出力する代替信号発生回路と、前記水平ドライブパルスと前記代替信号との切り替えるタイミングを決定する水平出力制御装置と、前記水平出力制御装置の制御信号を使って出力パルスを切り替える切替手段を具備して、前記切替手段の出力が切り替わるタイミングが前記水平ドライブパルス発生回路の出力及び前記代替信号発生回路の出力のどちらもがＬｏｗからＨｉｇｈに切り替わった時にのみ有効となることを特徴とする。
【００１３】
上記発明により、切替時の応答において波形が欠けたり連続性が失われることがなくなり、切替前後の出力波形の連続性が保たれ、水平偏向回路において水平ドライブトランジスタの破壊など不具合を生じることがなくなる。
【００１４】
【発明の実施の形態】
以下本発明の実施の形態について、図面を参照しながら説明する。
【００１５】
（実施の形態１）
図１は、本発明の第１の実施の形態による水平ドライブパルスの切替装置のブロック構成図である。
【００１６】
図１において、水平ドライブパルス発生回路１は、入力される水平同期信号Ａ及び水平偏向回路４の出力信号Ｂとにロックがかかったドライブパルスを発生させる回路である。代替信号発生回路３は、その内部で生成されるフリーランクロック信号に基づいて、水平ドライブパルス発生回路１の出力信号とは非同期な代替信号を生成し出力する。前記代替信号発生回路３の出力するパルスの周波数とデューティは変えられる。
【００１７】
前記周波数とデューティを変える事によって、あらゆる水平周波数に対応した水平ドライブパルスの位相制御装置を提供できる。水平出力制御装置２は水平ドライブパルス発生回路１のドライブパルスＣと代替信号発生回路３の代替信号Ｄの立ち上がりのタイミングが一致したときに制御パルスＥを発生させる。切替手段５はドライブパルスＣと代替信号Ｄのどちらかを出力するための切替手段である。前記切替手段後の信号波形は波形Ｆとなる。
【００１８】
以上のように構成された水平ドライブパルスの切替装置の動作を、図２を用いて説明する。図２は、本発明による水平ドライブパルスの切替装置の各部分から出力される信号の波形図である。
【００１９】
図２において、ドライブパルスＣは、水平同期信号Ａと水平偏向回路４の出力信号Ｂとにロックがかかった信号である。代替信号ＤとドライブパルスＣは制御パルスＥによって出力が切替えられ、波形Ｆが切替後の信号となる。ここで、制御パルスＥはドライブパルスＣと代替信号Ｄの立ち上がりが一致している時にのみ発生するため、制御パルス前後ではパルスが欠けることがなく、波形Ｆの連続性が常に保たれる。
【００２０】
【発明の効果】
以上のように、本発明の水平ドライブパルスの切替装置によれば、切替時の応答において波形が欠けたり連続性が失われることがなくなり、切替前後の出力波形の連続性が保たれ、水平偏向回路において水平ドライブトランジスタの破壊など不具合を生じることがなくなる。
【図面の簡単な説明】
【図１】本発明の実施例による水平ドライブパルスの切替装置のブロック構成図
【図２】本発明の水平ドライブパルスの切替装置の各部分の動作を表す波形図
【図３】従来の水平ドライブパルスの切替装置のブロック構成図
【符号の説明】
１  水平ドライブパルス発生回路
２  水平出力制御装置
３  代替信号発生回路
４  水平偏向回路
５  切替手段
【図１】
0004374676.tif 000002
【図２】
0004374676.tif 000003
【図３】
0004374676.tif 000004